(57)【特許請求の範囲】
【請求項１】
互いに対向するようにして床面に立設した前後方向を向く１対の間仕切パネルの各対向面に、前後方向を向く上下１対のレールを設け、上下方向を向く左右１対の側枠材を、前記間仕切パネルの各対向面に、各レールに沿って前後位置調節可能として、かつ互いに左右に対向するようにして、固定手段をもって固定し、いずれか一方の側枠材にドアの一側部を枢着し、かつ他方の側枠材を、前記ドアの他側部が当接する戸当たりとしたことを特徴とする間仕切へのドアの取付構造。
【請求項２】
左右の側枠材の下端部同士を、左右方向を向く下枠材をもって、互いに連結した請求項１記載の間仕切へのドアの取付構造。
【請求項３】
左右の側枠材の下端部への下枠材の取付位置を上下方向に調節可能とした請求項２記載の間仕切へのドアの取付構造。
【請求項４】
レールが、間仕切パネルの表面側に開口する前後方向を向くあり溝を備えており、固定手段が、前記あり溝内に摺動自在に嵌合した板ナットと、各側枠材を貫通するとともに、前記レールの開口を通ってあり溝内に進入し、前記板ナットのねじ孔に螺合するボルトとを備えるものとした請求項１〜３のいずれかに記載の間仕切へのドアの取付構造。
【請求項５】
間仕切パネルの各対向面における上下のレール間に、それらと平行をなす中間のレールを設け、この中間のレールにも、側枠材を、各レールに沿って前後位置調節可能として、固定手段をもって固定した請求項１〜４のいずれかに記載の間仕切へのドアの取付構造。
【請求項６】
戸当たりとした側枠材が取付けられた間仕切パネルを、床固定金具をもって、床面に固着した請求項１〜５のいずれかに記載の間仕切へのドアの取付構造。
【発明の詳細な説明】
【技術分野】
【０００１】
本発明は、間仕切へのドアの取付構造に関する。
【背景技術】
【０００２】
間仕切にドアを設けたものとしては、１個の間仕切パネルの内部に大きな開口を設け、その開口縁部にドア枠を取付け、そのドア枠内にドアを開閉自在に装着したものや(例えば特許文献１〜３参照)、間仕切パネルの側枠、またはそれを支持する支柱にドアを枢着したもの(例えば特許文献４および５参照)等がある。
【特許文献１】特開２００４−８４１８５号公報
【特許文献２】特開昭５７−６８８９１号公報
【特許文献３】特開平８−１５１７３０号公報
【特許文献４】特開平７−２６９２３２号公報
【特許文献５】特開平７−２１７０３３号公報
【発明の開示】
【発明が解決しようとする課題】
【０００３】
しかし、上述のような従来のものは、いずれも、ドアの装着位置を簡単に変更したり、調節したりすることができず、自由にレイアウトを変更することができないという問題がある。
【０００４】
本発明は、従来の技術が有する上記のような問題点に鑑み、ドアの装着位置を簡単に変更できるとともに、簡単な構造でドアを確実に保持することができるようにした間仕切へのドアの取付構造を提供することを目的としている。
【課題を解決するための手段】
【０００５】
本発明によると、上記課題は、次のようにして解決される。
(１)  互いに対向するようにして床面に立設した前後方向を向く１対の間仕切パネルの各対向面に、前後方向を向く上下１対のレールを設け、上下方向を向く左右１対の側枠材を、前記間仕切パネルの各対向面に、各レールに沿って前後位置調節可能として、かつ互いに左右に対向するようにして、固定手段をもって固定し、いずれか一方の側枠材にドアの一側部を枢着し、かつ他方の側枠材を、前記ドアの他側部が当接する戸当たりとする。
【０００６】
このような構成とすると、固定手段を緩めて、左右の側枠材を、各間仕切パネルのレールに沿って前後方向に摺動させた後、固定手段により、各側枠材を間仕切パネルの対向面に沿う所望の位置に固定することにより、ドアの装着位置を、使用者の要望等に応じて、簡単に変更できるとともに、簡単な構造でドアを確実に保持することができる。
【０００７】
(２)  上記(１)項において、左右の側枠材の下端部同士を、左右方向を向く下枠材をもって、互いに連結する。
【０００８】
このような構成とすると、下枠材により、左右の側枠材の相互間の距離が常に一定に保たれるので、ドアの開閉時の衝撃等により、左右の間仕切パネル間の距離が変動し、ドアの閉まり具合が悪くなるといった事態を未然に防止することができる。
なお、下枠材は、床面に当接させることにより、通行の妨げとならないようにすることができる。
【０００９】
(３)  上記(２)項において、左右の側枠材の下端部への下枠材の取付位置を上下方向に調節可能とする。
【００１０】
このような構成とすると、間仕切パネルに取り付けたときの左右の側枠材の下端の床面からの高さが変動したときでも、下枠材を接床させることができる。
【００１１】
(４)  上記(１)〜(３)項のいずれかにおいて、レールが、間仕切パネルの表面側に開口する前後方向を向くあり溝を備えており、固定手段が、前記あり溝内に摺動自在に嵌合した板ナットと、各側枠材を貫通するとともに、前記レールの開口を通ってあり溝内に進入し、前記板ナットのねじ孔に螺合するボルトとを備えるものとする。
【００１２】
このような構成とすると、ボルトを緩めるだけで、側枠材を、レールに沿って摺動させることができるとともに、間仕切パネルの前後方向の所望の位置で停止させて、再度ボルトを締め付けることにより、間仕切パネルに対するドアの取付位置を簡単に変更することができる。
また、構造を簡素化することができるとともに、側枠材を取り外した後に、ねじ孔等が残らないので、間仕切パネルの表面を美麗に保つことができる。
【００１３】
(５)  上記(１)〜(４)項のいずれかにおいて、間仕切パネルの各対向面における上下のレール間に、それらと平行をなす中間のレールを設け、この中間のレールにも、側枠材を、各レールに沿って前後位置調節可能として、固定手段をもって固定する。
【００１４】
このような構成とすると、側枠材を、間仕切パネルに強固に固定することができる。
【００１５】
(６)  上記(１)〜(５)項のいずれかにおいて、戸当たりとした側枠材が取付けられた間仕切パネルを、床固定金具をもって、床面に固着する。
【００１６】
このような構成とすると、ドアの閉止時の衝撃により、戸当たり側の側枠材が取付けられた間仕切パネルが、床面に対して移動するのを確実に防止することができ、ドアの締まりが悪くなるのを未然に防止することができる。
【発明の効果】
【００１７】
本発明によると、ドアの装着位置を簡単に変更できるとともに、簡単な構造でドアを確実に保持することができるようにした間仕切へのドアの取付構造を提供することができる。
【発明を実施するための最良の形態】
【００１８】
以下、本発明の実施形態を、添付図面を参照して説明する。  
図１は、本発明の一実施形態を備える間仕切の一例の斜視図、図２は、対向する間仕切パネルへの一方へのドアヒンジ側の側枠材の取付構造を示す分解斜視図、図３は、図２のＡ部の部分拡大図、図４は、ドアヒンジ側の側枠材へのドアの取付構造を示す分解斜視図、図５は、他方の間仕切パネルへの戸当たり側の側枠材の取付構造を示す分解斜視図、図６は、ドアヒンジ側の側枠材の取付部分の拡大縦断正面図である。
【００１９】
この間仕切は、銀行等の窓口業務を行うカウンターの横に連続して形成された低寸の、いわゆるローパーティションをなすもので、カウンターテーブル１の一側端に沿って床面２上に立設した前後方向(図１の左下方を前方、かつ右上方を後方とする)を向く第１の間仕切パネル３と、この第１の間仕切パネル３より左右方に離間し、かつそれと平行をなして対向するようにして、床面２上に立設した第２の間仕切パネル４と、この第２の間仕切パネル４に対して、平面視Ｔ字状をなすようにして結合された第３の間仕切パネル５とを備えている。
【００２０】
各間仕切パネル３、４、５は、方形枠状のフレーム６の両側面に、外側方、すなわち、パネルの表面側に向かって開口する長手方向のあり溝７ａを有する、上、中、下３段の水平のレール７と、それらの上下に隣接するレール７、７間を閉塞する２枚の化粧パネル８、８とを設けたものよりなっている。
各間仕切パネル３、４、５の側端面は、化粧カバー６ａにより覆われている。
【００２１】
また、各間仕切パネル３、４、５の下端両側部には、床面２の不陸調整用のアジャスタ６ｂ、６ｂが設けられている。第１の間仕切パネル３は、カウンターテーブル１の一側端に結合され、倒伏や床面２に対する位置ずれが防止されている。
【００２２】
第２の間仕切パネル４と第３の間仕切パネル５とのコーナー部分における床面２には、平面視直角二等辺三角形をなす床固定金具９が固着され、その床固定金具９の側縁より起立する起立片９ａ、９ａに設けた上下方向を向く１対の長孔１０、１０に挿通したボルト１１、１１をもって、各起立片９ａを第２の間仕切パネル４および第３の間仕切パネル５の下端部側面に固着することにより、第２の間仕切パネル４と第３の間仕切パネル５とは、床面２にアンカーされている。
このボルト１１による起立片９ａの第２の間仕切パネル４および第３の間仕切パネル５への固着は、後述する固定手段１４におけるのと同様に最下段のレール７のあり溝７ａ内に摺動自在に嵌合した板ナット(図３における板ナット１５参照)を用いて行うのが好ましい。
【００２３】
互いに対向する第１の間仕切パネル３と第２の間仕切パネル４との対向面には、上下方向を向く左右１対の角管状の側枠材本体１２、１３が、各レール７に沿って前後位置調節可能として、かつ互いに左右に対向するようにして、固定手段１４をもって固定されている。
【００２４】
この例では、固定手段１４は、各レール７のあり溝７ａ内に摺動自在に嵌合した板ナット１５(図３および図６参照)と、各側枠材本体１２、１３を貫通するとともに、各レール７の開口を通ってあり溝７ａ内に進入し、上記板ナット１５のねじ孔１６に螺合するようにしたボルト１７とを備えるものとしてある。
【００２５】
左右の側枠材本体１２、１３の下端部同士は、角管またはチャンネル材よりなる左右方向を向く下枠材１８をもって、互いに連結されている。
下枠材１８の両側端より起立する起立片１８ａに設けた上下方向を向く長孔１９に挿通したボルト２０をもって、各起立片１８ａを左右の側枠材本体１２、１３の下端部内側面に固着することにより、下枠材１８は、各側枠材本体１２、１３の下端部に、取付位置を上下方向に調節可能として固着され、各側枠材本体１２、１３の下端が、アジャスタ６ｂ、６ｂの調整により、床面２から若干離れたとしても、下枠材１８を常に接床させることができるようにしてある。
【００２６】
この下枠材１８により、左右の側枠材本体１２、１３の下端部同士を連結したことによって、左右の側枠材本体１２、１３の相互間の距離が常に一定に保たれ、ドアの開閉時の衝撃等により、左右の間仕切パネル３、４間の距離が変動し、ドアの閉まり具合が悪くなるといった事態を未然に防止することができる。
【００２７】
左方の側枠材本体１２には、ヒンジ取付用のカバー２１が、また右方の側枠材本体１３には、戸当たり用のカバー２２が装着され、側枠材本体１２とカバー２１とにより、ドアヒンジ側の側枠材２３が、また側枠材本体１３とカバー２２とにより、戸当たり側の側枠材２４が、それぞれ形成されている。
【００２８】
カバー２１は、外側面が開口する断面外向きコ字状をなして、側枠材本体１２に外嵌され、上下１対のドアヒンジ２５、２５における固定側ヒンジ片２５ａ、２５ａとともに、複数の固定ねじ２６をもって、側枠材本体１２に固着されている。
カバー２１の上端には、側枠材本体１２の上端を覆う上部閉塞片２１ａが連設されている。
【００２９】
ドアヒンジ２５は、固定側ヒンジ片２５ａとドア側ヒンジ片２５ｂとからなり、固定側ヒンジ片２５ａに上向き突設したヒンジ軸２５ｃに、図４に示すように、ドア２７の一側端上下部に固着したドア側ヒンジ片２５ｂの筒状部を上方より嵌合することにより、ドア２７は、側枠材２３に枢着されている。
【００３０】
ドア２７の高さは、間仕切パネル３、４、５の高さと同一としてあり、左右幅は、左右のカバー２１、２２の間隔とほぼ等しくしてある。
ドア２７の遊端部には、ノブ２８と施錠装置２９とが設けられている。
【００３１】
戸当たり用のカバー２２の上端には、側枠材本体１３の上端を覆う上部閉塞片２１ａが連設されており、同じく内側面には、上下方向を向く戸当たり用の突条２２ｂが設けられている。
このカバー２２は、複数の固定ねじ２６をもって、側枠材本体１３に固着されている。
また、カバー２２と側枠材本体１３とには、施錠装置２９のロックピン(図示略)が係脱する受け孔３０が設けられている。
【００３２】
以上説明したように、上記実施形態の間仕切へのドアの取付構造においては、固定手段１４におけるボルト１１を緩めて、左右の側枠材本体１２、１３を、各間仕切パネル３、４のレール７に沿って前後方向に摺動させた後、ボルト１１をを締め付けて、各側枠材本体１２、１３を間仕切パネル３、４の対向面に沿う所望の位置に固定することにより、ドア２７の装着位置を、使用者の要望等に応じて、簡単に変更できるとともに、簡単な構造でドア２７を確実に保持することができる。
【００３３】
本発明は、上記実施形態に限定されるもではない。
例えば、側枠材本体１２とカバー２１とを一体としたものを、ドアヒンジ側の側枠材２３として、また側枠材本体１３とカバー２２とを一体としたものを、戸当たり側の側枠材２４として、それらを固定手段１４により、間仕切パネル３、４の各対向面に、直接、前後位置調節可能として取り付けてもよい。
【００３４】
また、中段のレール７、床固定金具９、下枠材１８等は、省略して実施することもできる。
【図面の簡単な説明】
【００３５】
【図１】本発明の一実施形態を備える間仕切の一例の斜視図である。
【図２】対向する間仕切パネルへの一方へのドアヒンジ側の側枠材の取付構造を示す分解斜視図である。
【図３】図２のＡ部の部分拡大図である。
【図４】ドアヒンジ側の側枠材へのドアの取付構造を示す分解斜視図である。
【図５】他方の間仕切パネルへの戸当たり側の側枠材の取付構造を示す分解斜視図である。
【図６】ドアヒンジ側の側枠材の取付部分の拡大縦断正面図である。
【符号の説明】
【００３６】
１  カウンターテーブル
２  床面
３  第１の間仕切パネル
４  第２の間仕切パネル
５  第３の間仕切パネル
６  フレーム
６ａ化粧カバー
６ｂアジャスタ
７  レール
７ａあり溝
８  化粧パネル
９  床固定金具
９ａ起立片
１０  長孔
１１  ボルト
１２、１３  側枠材本体
１４  固定手段
１５  板ナット
１６  ねじ孔
１７  ボルト
１８  下枠材
１８ａ起立片
１９  長孔
２０  ボルト
２１  カバー
２１ａ上部閉塞片
２２  カバー
２２ａ上部閉塞片
２２ｂ突条
２３  ドアヒンジ側の側枠材
２４  戸当たり側の側枠材
２５  ドアヒンジ
２５ａ固定側ヒンジ片
２５ｂドア側ヒンジ片
２５ｃヒンジ軸
２６  固定ねじ
２７  ドア
２８  ノブ
２９  施錠装置
３０  受け孔
【図１】
0005079572.tif 000002
【図２】
0005079572.tif 000003
【図３】
0005079572.tif 000004
【図４】
0005079572.tif 000005
【図５】
0005079572.tif 000006
【図６】
0005079572.tif 000007